(57)【特許請求の範囲】
【請求項１】
サッシの周囲を構成する平坦面と外壁材の側面との間に形成される目地に取り付けられる建築用目地材であって、
前記目地の間隔を保持するように前記平坦面と前記側面との間に配置される平坦部と、
前記外壁材の内面に接するように取り付けられる支持部と、
前記平坦部と前記支持部とに接続され、前記支持部から更に内方に向かって延び、前記平坦面に対して垂直に延びる面に当接する脚部とを備え、
前記建築用目地材は、１枚の鋼板をプレス成形することによって形成され、
前記脚部は、前記平坦部に対応する部分と前記支持部に対応する部分との間の部分を折り返すことによって形成され、
前記平坦部の前記平坦面側の端部には、前記平坦部から内方側に向かって直角に延びる折曲げ部が接続され、その長さは前記脚部の長さより小さい、建築用目地材。
【請求項２】
サッシの周囲を構成する平坦面と外壁材の側面との間に形成される目地に取り付けられる建築用目地材であって、
前記目地の間隔を保持するように前記平坦面と前記側面との間に配置される平坦部と、
前記外壁材の内面に接するように取り付けられる支持部と、
前記平坦部と前記支持部とに接続され、前記支持部から更に内方に向かって延び、前記平坦面に対して垂直に延びる面に当接する脚部とを備え、
前記建築用目地材は、１枚の鋼板をプレス成形することによって形成され、
前記脚部は、前記平坦部に対応する部分と前記支持部に対応する部分との間の部分を折り返すことによって形成され、
前記平坦部の前記平坦面側の端部には、前記平坦部の内面に接するように折り返された折り返し部が接続される、建築用目地材。
【発明の詳細な説明】
【技術分野】
【０００１】
この発明は建築用目地材に関し、特に平坦面と外壁材との間に形成される目地に取り付けて使用される建築用目地材に関するものである。
【背景技術】
【０００２】
図１２は、従来の建築用目地材の概略平面図であり、図１３は、図１２で示したＸＩＩＩ−ＸＩＩＩラインから見た概略断面図である。
【０００３】
これらの図を参照して、建築用目地材７１は、１枚の鋼板をプレス成形することによって形成され、後述する目地の間隔を保持する平坦部７２と、平坦部７２の端部から内方側に向かって直角に延びる折曲げ部７５と、平坦部７２の他方端部から内方側に向かって直角に延びる接続部７４と、接続部７４の内方側端部から折曲げ部７５のある方向とは反対方向に向かって直角に延びる支持部７３とから構成される。
【０００４】
ここで、建築用目地材７１の建築物への取り付けについて説明する。
【０００５】
図１４は、図１２で示した建築用目地材を建築物に取り付けて、シーリングを施工する前の状態を示す概略断面図である。
【０００６】
図を参照して、建築用目地材７１は、折曲げ部７５の外面を建築物１のサッシ２の平坦面３に沿って当接させた状態で、支持部７３を介して建築物１の胴縁９に釘等で固定されている。建築用目地材７１の支持部７３の外面及び接続部７４の外面の各々と、外壁材５の内面３６及び側面３５の各々とが接するようにして、外壁材５が設置されている。
【０００７】
このとき、建築用目地材７１の平坦部７２の外方において、サッシ２の平坦面３と外壁材５の側面３５との間に目地７が形成される。ここで、実線の矢印で示した方向に、目地７に対してシーリング（図示せず）を施工する。従って、建築用目地材７１は、その平坦部７２によって、目地７の間隔及び深さを保持するものであった。
【発明の概要】
【発明が解決しようとする課題】
【０００８】
上記のような従来の建築用目地材７１では、シーリングを施工する際に問題が生じる虞があった。
【０００９】
図１５は、図１４で示した建築用目地材においてシーリングを施工した後の状態を示す概略断面図である。
【００１０】
図を参照して、建築用目地材７１は、目地７に施工されるシーリング１０によって、その平坦部７２が内方側へ押され、支持部７３が胴縁９の外方側端縁から内方側へ屈曲した状態にある。そのため、建築用目地材７１の折曲げ部７５の一部のみが、サッシ２の平坦面３と当接した状態となっている。従って、建築用目地材７１の平坦部７２によって、目地７の間隔や深さを一定に保持することができず、シーリング施工が不安定な状態となってしまっていた。
【００１１】
一方、胴縁９の代わりにスペーサー８（図１６参照）を用いた建築物１において、その他の建築用目地材が用いられている。
【００１２】
図１６は、従来の他の建築用目地材を建築物に取り付けて、シーリングを施工した後の状態を示す概略断面図であって、図１５に対応した図である。
【００１３】
図を参照して、建築用目地材８１は、目地７の間隔を保持する平坦部８２と、平坦部８２の平坦面３側の端部に接続され、平坦部８２から内方側に向かって直角に延び、その先端が後述する平坦面８８と当接する折曲げ部８５と、平坦部８２の他方端部から内方側に向かって直角に延び、その先端が後述する平坦面８８と当接する接続部８４と、接続部８４の先端部から折曲げ部８５のある方向とは反対方向に向かって直角に延びる支持部８３とから構成される。
【００１４】
建築用目地材８１は、その支持部８３を介して、建築物１のサッシ２の平坦面３に垂直に接する平坦面８８に、ビス等で固定されている。ここで、図１６に示したように、サッシ２の平坦面３にビス４が取り付けられているような場合には、ビス４の位置に対応する建築用目地材８１の折曲げ部８５を切断等する必要があり、使い勝手が良くないものとなっていた。
【００１５】
この発明は、上記のような課題を解決するためになされたもので、取付状態が安定すると共に、使い勝手が向上する建築用目地材を提供することを目的とする。
【課題を解決するための手段】
【００１６】
上記の目的を達成するために、請求項１記載の発明は、サッシの周囲を構成する平坦面と外壁材の側面との間に形成される目地に取り付けられる建築用目地材であって、目地の間隔を保持するように平坦面と側面との間に配置される平坦部と、外壁材の内面に接するように取り付けられる支持部と、平坦部と支持部とに接続され、支持部から更に内方に向かって延び、平坦面に対して垂直に延びる面に当接する脚部とを備え、建築用目地材は、１枚の鋼板をプレス成形することによって形成され、脚部は、平坦部に対応する部分と支持部に対応する部分との間の部分を折り返すことによって形成され、平坦部の平坦面側の端部には、平坦部から内方側に向かって直角に延びる折曲げ部が接続され、その長さは脚部の長さより小さいものである。
【００１７】
このように構成すると、脚部の先端が建築物のサッシの平坦面に対して垂直な面に当接状態になるので、平坦部や支持部の内方への撓みが防止される。又、脚部の長さが自在になると共に、脚部の座屈強度が向上する。更に、取付時には、折曲げ部は平坦面に沿う。
【００２２】
請求項２記載の発明は、サッシの周囲を構成する平坦面と外壁材の側面との間に形成される目地に取り付けられる建築用目地材であって、目地の間隔を保持するように平坦面と側面との間に配置される平坦部と、外壁材の内面に接するように取り付けられる支持部と、平坦部と支持部とに接続され、支持部から更に内方に向かって延び、平坦面に対して垂直に延びる面に当接する脚部とを備え、建築用目地材は、１枚の鋼板をプレス成形することによって形成され、脚部は、平坦部に対応する部分と支持部に対応する部分との間の部分を折り返すことによって形成され、平坦部の平坦面側の端部には、平坦部の内面に接するように折り返された折り返し部が接続されるものである。
【００２３】
このように構成すると、脚部の先端が建築物のサッシの平坦面に対して垂直な面に当接状態になるので、平坦部や支持部の内方への撓みが防止される。又、脚部の長さが自在になると共に、脚部の座屈強度が向上する。更に、平坦部の撓み強度が向上すると共に、平坦面の状態に影響を与えにくい。
【発明の効果】
【００２６】
以上説明したように、請求項１記載の発明は、脚部の先端が建築物のサッシの平坦面に対して垂直な面に当接状態になるので、平坦部や支持部の内方への撓みが防止されるため、平坦部へのシーリング施工が安定する。又、脚部の長さが自在になると共に、脚部の座屈強度が向上するため、使い勝手が向上し、効率的な形状となる。更に、取付時には、折曲げ部は平坦面に沿うため、取付状態が安定する。
【００２９】
請求項２記載の発明は、脚部の先端が建築物のサッシの平坦面に対して垂直な面に当接状態になるので、平坦部や支持部の内方への撓みが防止されるため、平坦部へのシーリング施工が安定する。又、脚部の長さが自在になると共に、脚部の座屈強度が向上するため、使い勝手が向上し、効率的な形状となる。更に、平坦部の撓み強度が向上すると共に、平坦面の状態に影響を与えにくいため、使い勝手が向上する。
【図面の簡単な説明】
【００３１】
【図１】この発明の第１の実施の形態による建築用目地材の概略平面図である。
【図２】図１で示した建築用目地材の概略底面図である。
【図３】図２で示したＩＩＩ−ＩＩＩラインから見た概略断面図である。
【図４】図１で示した建築用目地材を建築物に取り付けた状態を示す概略断面図であって、図１５に対応した図である。
【図５】図１で示した建築用目地材の建築物への取付工程を示す概略拡大断面図であって、図４で示した“Ｘ”部分の拡大図である。
【図６】この発明の第２の実施の形態による建築用目地材の概略底面図であって、図２に対応した図である。
【図７】図６で示したＶＩＩ−ＶＩＩラインから見た概略断面図であって、図３に対応した図である。
【図８】図６で示した建築用目地材を建築物に取り付けた状態を示す概略断面図であって、図４に対応した図である。
【図９】この発明の第３の実施の形態による建築用目地材の概略底面図であって、図２に対応した図である。
【図１０】図９で示したＸ−Ｘラインから見た概略断面図であって、図３に対応した図である。
【図１１】図９で示した建築用目地材を建築物に取り付けた状態を示す概略断面図であって、図４に対応した図である。
【図１２】従来の建築用目地材の概略平面図である。
【図１３】図１２で示したＸＩＩＩ−ＸＩＩＩラインから見た概略断面図である。
【図１４】図１２で示した建築用目地材を建築物に取り付けて、シーリングを施工する前の状態を示す概略断面図である。
【図１５】図１４で示した建築用目地材においてシーリングを施工した後の状態を示す概略断面図である。
【図１６】従来の他の建築用目地材を建築物に取り付けて、シーリングを施工した後の状態を示す概略断面図であって、図１５に対応した図である。
【発明を実施するための形態】
【００３２】
図１は、この発明の第１の実施の形態による建築用目地材の概略平面図であり、図２は、図１で示した建築用目地材の概略底面図であり、図３は、図２で示したＩＩＩ−ＩＩＩラインから見た概略断面図である。
【００３３】
これらの図を参照して、建築用目地材１１は、１枚の鋼板をプレス成形することによって形成され、前述した目地７の間隔を保持する平坦部２１と、平坦部２１の端部から内方側に向かって直角に延びてその長さはＨ１でありその先端が後述する平坦面６に当接する第１脚部２８及び第１脚部２８の先端部から外方側に向かって折り返されて延びてその長さＨ２は第１脚部２８の長さＨ１よりも小さい第２脚部２９からなる脚部２７と、脚部２７の第２脚部２９の外方側端部から平坦部２１のある方向とは反対方向に向かって直角に延びる支持部２４と、平坦部２１の前述した平坦面３側の他方端部に接続され、平坦部２１から内方側に向かって直角に延び、その長さＨ３は脚部２７の第１脚部２８の長さＨ１よりも小さい折曲げ部３１と、前述のシーリング１０の接着性能を低下させる素材からなり、平坦部２１の外面に貼り付けられたテープ２２とから構成される。
【００３４】
脚部２７は、プレス成形する前の１枚の鋼板において、平坦部２１に対応する部分と支持部２４に対応する部分との間の部分に対応する。この部分を折り返して形成することにより、脚部２７の第１脚部２８及び第２脚部２９が形成されることになる。このように構成することにより、脚部２７の第１脚部２８の長さＨ１が設置場所に応じて自在に設定できると共に、脚部２７の座屈強度が向上する。
【００３５】
次に、建築用目地材１１を建築物に取り付けた状態について説明する。
【００３６】
図４は、図１で示した建築用目地材を建築物に取り付けた状態を示す概略断面図であって、図１５に対応した図である。
【００３７】
図を参照して、建築用目地材１１は、支持部２４を介して建築物１の胴縁９に釘等で固定されている。建築用目地材１１の支持部２４の外面及び脚部２７の第２脚部２９の上方に位置する第１脚部２８の外面の各々と、外壁材５の内面３６及び側面３５の各々とが接するようにして、外壁材５が設置されている。脚部２７が折り返されて形成された部分に対応する、脚部２７の第１脚部２８の内方側の先端は、建築物１のサッシ２の平坦面３に垂直に接する平坦面６に当接している。建築用目地材１１の折曲げ部３１の外面は、建築物１のサッシ２の平坦面３に沿って当接している。建築用目地材１１のテープ２２は、サッシ２の平坦面３と外壁材５の側面３５との間に形成された目地７に施工されたシーリング１０と当接している。
【００３８】
ここで、この建築用目地材１１の建築物１への取付工程について説明する。
【００３９】
図５は、図１で示した建築用目地材の建築物への取付工程を示す概略拡大断面図であって、図４で示した“Ｘ”部分の拡大図である。
【００４０】
図５の（１）を参照して、建築用目地材１１を、実線の矢印で示した方向へ、支持部２４を介して建築物１の胴縁９に釘等で固定取付する。その際、建築用目地材１１の折曲げ部３１の外面を建築物１のサッシ２の平坦面３に沿うように当接させつつ、脚部２７の第１脚部２８の内方側の先端を平坦面６に当接させる。これによって、建築用目地材１１の取付状態が安定することになる。図３で示したように折曲げ部３１の長さＨ３は脚部２７の第１脚部２８の長さＨ１よりも小さくなるように形成されているので、建築用目地材１１はサッシ２の平坦面３の内方側の位置に取り付けられたビス４の影響を受けにくい。
【００４１】
図５の（２）を参照して、外壁材５を、実線の矢印で示した方向へ、建築用目地材１１の支持部２４の外面と外壁材５の内面３６とが接するように取り付ける。その際、外壁材５の側面３５の下方部分が、建築用目地材１１の脚部２７の第２脚部２９の上方に位置する第１脚部２８の外面に接するようにする。これにより、サッシ２の平坦面３と外壁材５との間に、図５の（３）で示す目地７が形成される。
【００４２】
図５の（３）を参照して、シーリング１０を、実線の矢印で示した方向から、目地７へ施工する。建築用目地材１１の平坦部２１によって、目地７の間隔及び深さは保持されている。このとき、建築用目地材１１のテープ２２は、シーリング１０と当接する。ここで、建築用目地材１１のテープ２２はシーリング１０の接着性能を低下させる素材から形成されているため、仮に外壁材５がサッシ２の平坦面３から少し離れるような状況となっても、シーリング１０はテープ２２に接着していないため、シーリング１０に切れが入ったり、シーリング１０が平坦面３及び外壁材５から剥離したりする虞は少ないものとなる。
【００４３】
又、建築用目地材１１は、目地７に施工されるシーリング１０によって、その平坦部２１が内方側へ押されるが、脚部２７の第１脚部２８の内方側の先端が建築物１の平坦面６に当接状態に取り付けられているため、平坦部２１や支持部２４の内方への撓みが防止される。従って、建築目地材１１の平坦部２１へのシーリング施工が安定することになり、建築用目地材１１は、使い勝手が向上し、効率的な形状となる。
【００４４】
図６は、この発明の第２の実施の形態による建築用目地材の概略底面図であって、図２に対応した図であり、図７は、図６で示したＶＩＩ−ＶＩＩラインから見た概略断面図であって、図３に対応した図である。
【００４５】
尚、この第２の実施の形態による建築用目地材１２は、図１で示した第１の実施の形態による建築用目地材１１と基本的な構成は同一である。ここでは、その相違点を中心に説明する。
【００４６】
これらの図を参照して、建築用目地材１２は、図１で示した建築用目地材１１の折曲げ部３１を、折り返し部３２に置き換えたものである。この建築用目地材１２の折り返し部３２は、平坦部２１の前述した平坦面３側の端部に接続され、平坦部２１の内面に接するように折り返され、その長さＬ１は平坦部２１の長さＬ２よりも小さいものである。このように構成することにより、平坦部２１の撓み強度が向上する。尚、平坦部２１の長さＬ２及び支持部２４の長さＬ３は、建築物に応じて任意に変更することができる。よって、平坦部２１の長さＬ２を変えることで、前述した目地７の幅を変えることができる。
【００４７】
次に、建築用目地材１２を建築物に取り付けた状態について説明する。
【００４８】
図８は、図６で示した建築用目地材を建築物に取り付けた状態を示す概略断面図であって、図４に対応した図である。
【００４９】
尚、この第２の実施の形態による建築用目地材１２を取り付けた建築物１は、図４で示した第１の実施の形態による建築用目地材１１を取り付けた建築物１と基本的な構成は同一である。ここでは、その相違点を中心に説明する。
【００５０】
図を参照して、建築用目地材１２は、その折り返し部３２が平坦部２１の内面に接するように折り返されたものであるので、図４で示した建築用目地材１１に比べて、サッシ２の平坦面３に取り付けられたビス４の影響を更に受けにくいものとなっている。よって、建築用目地材１２は、サッシ２の平坦面３の状態から影響を受けにくいため、使い勝手が向上する。
【００５１】
図９は、この発明の第３の実施の形態による建築用目地材の概略底面図であって、図２に対応した図であり、図１０は、図９で示したＸ−Ｘラインから見た概略断面図であって、図３に対応した図である。
【００５２】
尚、この第３の実施の形態による建築用目地材１３は、図１で示した第１の実施の形態による建築用目地材１１と基本的な構成は同一である。ここでは、その相違点を中心に説明する。
【００５３】
これらの図を参照して、建築用目地材１３は、図１で示した建築用目地材１１の折曲げ部３１を、折曲げ部３３に置き換えたものである。この建築用目地材１３の折曲げ部３３は、平坦部２１の前述した平坦面３側の端部に接続され、脚部２７の第１脚部２８の内方端の位置まで延びるものである。このように構成した理由については後述する。
【００５４】
図１１は、図９で示した建築用目地材を建築物に取り付けた状態を示す概略断面図であって、図４に対応した図である。
【００５５】
尚、この第３の実施の形態による建築用目地材１３を取り付けた建築物１は、図４で示した第１の実施の形態による建築用目地材１１を取り付けた建築物１と基本的な構成は同一である。ここでは、その相違点を中心に説明する。
【００５６】
図を参照して、建築用目地材１３は、折曲げ部３３が脚部２７の第１脚部２８の内方端の位置まで延びるものであるので、図４で示した建築用目地材１１に比べて、シーリング１０の施工時の押圧に対して平坦部２１の撓み強度が格段に増加しているため、使用時の信頼性が更に向上するものとなる。
【００５７】
尚、上記の各実施の形態では、建築用目地材は、鋼板をプレス成形して形成されたものであったが、合成樹脂による押出成形等の他の材質及び他の成形方法により形成されたものであっても良い。
【００５８】
又、上記の各実施の形態では、建築用目地材は、１枚の鋼板から形成されたものであったが、複数の部材を接続して形成されたものであっても良い。
【００５９】
更に、上記の各実施の形態では、テープは、建築用目地材の平坦部の外面に貼り付けられたものであったが、テープは無くても良い。
【００６０】
更に、上記の第１の実施の形態では、折曲げ部は、平坦部に接続されたものであったが、折曲げ部は無くても良い。
【００６１】
更に、上記の各実施の形態では、脚部は、１枚の鋼板を折り返して形成された第１脚部及び第２脚部からなるものであったが、例えば第２脚部に対応する部分は無くても良く、平坦部及び支持部に接続され、支持部から更に内方に向かって延びるものであれば他の形状であっても良い。
【００６２】
更に、上記の第２の実施の形態では、折り返し部の長さは、特定の長さであり、平坦部の長さよりも小さいものであったが、例えば折り返し部の長さは平坦部よりも大きく、脚部の内面に沿って更に折り曲げられるような他の長さであっても良い。
【００６３】
更に、上記の各実施の形態では、建築用目地材は、支持部を介して釘等により胴縁に固定されていたが、例えばビスや接着剤等の他の方法により胴縁に固定されていても良い。
【００６４】
更に、上記の各実施の形態では、建築用目地材は、サッシの平坦面と外壁材との間に形成される目地に取り付けて使用されるものであったが、例えば外壁等のサッシ以外の平坦面と外壁材との間に形成される目地に取り付けて使用されるものであっても良い。
【００６５】
更に、上記の第１の実施の形態では、建築用目地材は、折曲げ部が平坦部の端部から内方側に向かって直角に延びるものであったが、折曲げ部の内方側の端部に接続されて脚部の内方端の位置まで延びる折曲げ部を更に含むものであっても良い。
【符号の説明】
【００６６】
３…平坦面
５…外壁材
７…目地
１１〜１３…建築用目地材
２１…平坦部
２４…支持部
２７…脚部
３１…折曲げ部
３２…折り返し部
３３…折曲げ部
３６…内面
尚、各図中同一符号は同一又は相当部分を示す。
【要約】
【課題】  取付状態が安定すると共に、使い勝手が向上する建築用目地材を提供する。
【解決手段】  建築用目地材１１は、１枚の鋼板をプレス成形することによって形成され、図示しない目地の間隔を保持する平坦部２１と、平坦部２１の端部から内方側に向かって直角に延び、その先端が図示しない平坦面に当接する第１脚部２８及び第１脚部２８の先端部から外方側に向かって折り返されて延びる第２脚部２９からなる脚部２７と、脚部２７の第２脚部２９の外方側端部から平坦部２１のある方向とは反対方向に向かって直角に延びる支持部２４と、平坦部２１の他方端部から内方側に向かって直角に延び、その長さＨ３は脚部２７の第１脚部２８の長さＨ１よりも小さい折曲げ部３１と、平坦部２１の外面に貼り付けられたテープ２２とから構成される。これにより、取付時の平坦部２１や支持部２４の内方への撓みが防止されるため、建築用目地材１１の取付状態が安定する。
【選択図】  図３【図１】
0005577447.tif 000002
【図２】
0005577447.tif 000003
【図３】
0005577447.tif 000004
【図４】
0005577447.tif 000005
【図５】
0005577447.tif 000006
【図６】
0005577447.tif 000007
【図７】
0005577447.tif 000008
【図８】
0005577447.tif 000009
【図９】
0005577447.tif 000010
【図１０】
0005577447.tif 000011
【図１１】
0005577447.tif 000012
【図１２】
0005577447.tif 000013
【図１３】
0005577447.tif 000014
【図１４】
0005577447.tif 000015
【図１５】
0005577447.tif 000016
【図１６】
0005577447.tif 000017